(57)【特許請求の範囲】
【請求項１】
コンテナに装填したビレットを押圧するステムが水平に取り付けられたステムスライド台と、
ステム上下動支持体に取り付けられ、前記ステムスライド台の側端部が嵌合し上下に摺動されるガイド溝を形成したスライドガイド部材と、
前記スライドガイド部材に設けられ、前記ステムスライド台の側端部を押圧するロック手段と、を備え、
前記ステムスライド台が前記ガイド溝の下端に位置するとき、前記ロック手段が駆動されて、前記ステムスライド台をロックし、前記ステムを前記コンテナの軸線の位置に保持することを特徴とするステムスライド装置。
【請求項２】
前記ガイド溝は、前記スライドガイド部材の内面と、前記ステムスライド台を取り付けたステム上下動支持体の壁面とが対向して形成され、前記ステムスライド台の側端部が、該内面と該壁面との間を摺動し、
前記ステムスライド台の側端部が、前記ロック手段によって前記ステム上下動支持体の壁面に押圧されることを特徴とする請求項１に記載のステムスライド装置。
【請求項３】
前記スライドガイド部材の内面と、前記ステム上下動支持体の壁面とに、ライナが施されていることを特徴とする請求項２に記載のステムスライド装置。
【請求項４】
前記ステムスライド台の側端部は、前記ステム上下動支持体の壁面を摺動し該壁面を押圧する方向に弾性保持されたライナ部材を備えたこと特徴とする請求項１乃至３のいずれか一項に記載のステムスライド装置。
【請求項５】
前記ライナ部材は、前記ロック手段が駆動されたとき、前記ステム上下動支持体の壁面によって押され、前記ステムスライド台の背面が前記ステム上下動支持体の壁面に当接することを特徴とする請求項４に記載のステムスライド装置。
【発明の詳細な説明】
【技術分野】
【０００１】
本発明は、押出プレス装置に設けられたステムスライド装置に関し、特に、コンテナに装填したビレットを押圧するステムが水平に取り付けられたステムスライド台を、ビレット供給時に上昇させることができるステムスライド装置に関する。
【背景技術】
【０００２】
一般に、金属材料、例えば、アルミニュウム又はその合金材料などによる押出材（ビレット）を押出プレス装置により押出プレスする場合、油圧シリンダにより駆動されるメインラムの先端部にステムが取り付けられており、ダイスにコンテナを押し付けた状態で、ビレットローダ上のビレットをメインラム先端部のステムで押し付けて、該コンテナのビレット収容部内に装填する。そして、メインラムをさらに油圧シリンダの駆動により前進させることにより、ビレットがステムにて強力に押圧される。そこで、ダイスの出口部から、成形された製品が押し出される。
【０００３】
この従来型の押出プレス装置では、コンテナにビレットを装填するときに、ステムの先端は、このビレットの長さ分、後退されなければならないため、メインラムのストロークは、ビレット長に、ステムの長さを加えたものとなっている。そこで、このメインラムのストロークを確保するには、従来型の押出プレス装置の全体が長大化してしまい、メインラムを駆動する油圧シリンダ自体も大型化し、これに伴って、作動させる油量も多く必要となる。
【０００４】
近年においては、押出プレス装置のコンパクト化が図られている。このコンパクト化により、押出プレス装置の省スペース化、省エネルギー化を達成することができる。このコンパクト化の一手法である、ショートストロークプレス方式と呼ばれる押出プレス装置が開発されている。従来型の押出プレス装置では、ビレットをコンテナ内に装填するために、ビレット供給用のスペースが必要であり、この長さ分だけ、メインラムのストロークが長くなっていた。そこで、このショートストロークプレス方式では、ビレット供給の仕方を工夫して、ビレット供給用のスペースの長さ分だけ、メインストロークの長さを短くしている。
【０００５】
このショートストロークプレス方式によれば、押出プレス装置全体の機長を短くコンパクト化することができ、非押出時間（アイドルタイム）を短縮化でき、さらに、メインラム駆動用の油圧シリンダの作動油量を削減することができる。その結果、押出プレス装置の省スペース化、省エネルギー化を図ることができる。
【０００６】
このショートストロークプレス方式は、コンテナを基準においたビレットの供給方向で、２種類に分けられる。その１つの方式が、フロントローディング型と呼ばれるショートストロークプレス方式である。このフロントローディング型は、ビレット供給時には、コンテナをステム側に移動させておき、移動後のコンテナ位置よりダイス側にビレット供給用のスペースを確保するものである。つまり、ダイスとステム先端との間に、ビレットが供給される。
【０００７】
このフロントローディング型プレス方式では、ビレットを空中チャージで供給するため、ビレットローダ装置の芯精度の維持が重要となるため、ビレットローダ装置の保守・管理が必要となる。また、ビレットの径、曲り、端面などの精度も要求される。そこで、実際には、コンテナの内径を大きくして対処している。しかし、この内径を大きくすることによって、製品へのブリスターの巻き込みの大きな要因になっている。
【０００８】
一方、もう１つの方式が、図４に示されるような、リアローティング型と呼ばれるショートストロークプレス方式が開発されている（例えば、特許文献１、２を参照）。このリアロントローディング型では、ビレット供給時には、ビレット供給用スペースを確保するため、ステムを水平移動又は上昇移動させている。当初のステム位置からステムを水平方向又は上方に移動させ、ステムの側方又は下方において、コンテナのステム側にビレット供給用のスペースを開けている。このスペースに、ビレットが供給される。
【０００９】
図４は、リアローディング型ショートストロークプレス方式が採用された押出プレス装置の概要を示し、押出プレス装置の上方から見た構成が示されている。この押出プレス装置では、エンドプラテン１とシリンダ取付ブロック２がタイロッド３によって連結され固定されている。エンドプラテン１には、ビレットを製品に押し出す型を有するダイス４が取り付けられ、そのダイス４には、ビレット収容部Ｃを備えたコンテナ５が押し付けられている。
【００１０】
そして、シリンダ取付ブロック２には、ステム６をコンテナ５のビレット収容部Ｃの軸に沿って移動させるための主油圧シリンダ８が取り付けられている。図示されていないが、主油圧シリンダ８の内部には、油圧によって駆動されるメインラムが配置され、このメインラムの先端に、ステム支持部材７が取り付けられている。このステム支持部材７に、ステム６が取り付けられており、主油圧シリンダのメインラムが駆動されると、ステム６が、コンテナ５のビレット収容部Ｃの芯軸に沿って移動される。なお、図４では、ビレット供給時におけるステムの水平移動又は上昇移動のための機構については、図示を省略している。
【００１１】
そこで、図４のリアローディング型ショートストロークプレス方式の押出プレス装置に適用されるステムの上昇移動機構の例を、図５に示した。ここでは、図４に示されたステム支持部材７が、ステム上下動支持体７１、スライドガイド部材７２、ステムスライド台７３、そして、ステムクランプ部材７４で構成されている。スライドガイド部材７２は、ステム上下動支持体７１に固定され、ステムスライド台７３の両側端が上下に摺動できるスライド溝を備えている。
【００１２】
ステム６のステム基部が、ステムスライド台７３にステムクランプ部材７４によりクランプされ、ステム６が水平に保たれて支持される。さらに、ステムスライド台７３は、ステム上下駆動油圧シリンダ７９の作動により、上下動される。図示されていないが、ステムスライド台７３の下降限のためのメカストッパが設けられており、このメカストッパのデジタル近接センサにより、ステムの上下芯が許容値内に入っているか検知される。図５では、ステムスライド台７３が下降限にある状態が示され、ステム６の芯が、コンテナ５のビレット収容部Ｃの軸Ｘに一致されている。
【００１３】
次に、図６（ａ）乃至（ｃ）を参照し、図４に示されたリアローディング型の押出プレス装置におけるビレット供給動作について説明する。図６（ａ）乃至（ｃ）では、図４の押出プレス装置と同じ部分には、同じ符号が付されている。
【００１４】
先ず、図６（ａ）に示されるように、ステム６が上昇移動され、その下方に形成されたスペースに、ビレットローダ装置ＢＬに保持されたビレットＢが、コンテナ５のビレット収容部Ｃの軸位置に、押出プレス装置の側方から供給される。このときのステムの上昇移動の様子が、図７に示されている。図７に示されたステムの上昇移動機構は、図５と同様であり、同じ部分には同じ符号が付されている。
【００１５】
図７では、ステム上下駆動油圧シリンダ７９が作動して、ステムスライド台７３が下降限の位置から所定の高さに押し上げられる。そうすると、ステムスライド台７３の上昇移動で、これにクランプされているステム６も、軸Ｘの位置から所定の高さまで上昇移動される。そこで、ステム６が上昇移動した後には、軸Ｘの位置にスペースが空き、このスペースに、図示のように、次に押し出されるビレットＢを供給することができる。
【００１６】
次いで、図６（ｂ）に示されるように、ビレットローダ装置ＢＬに備えられているビレット挿入装置が該軸方向に駆動されて、ビレットＢが、コンテナ５のビレット収容部Ｃ内に挿入され、装填される。
【００１７】
図６（ｃ）に示されるように、ビレットＢがさらに挿入されて、ビレット収容部Ｃへの装填が完了すると、ビレットローダ装置ＢＬは、押出プレス装置から側方に退避され、次ビレットの保持動作に移行する。この後、上昇されていたステム６が、下降駆動されて当初のビレット収容部Ｃの軸位置に戻される。そこで、主油圧シリンダ８が駆動されて、メインラムが前進することにより、ステム６が、ビレットＢへの押圧を開始し、以後、ビレットＢは、ダイス４によって押出成形される。
【００１８】
【特許文献１】特開平４−２３１１１０号公報
【特許文献２】特開平８−２０６７２７号公報
【発明の開示】
【発明が解決しようとする課題】
【００１９】
ところで、リアローディング型ショートストロークプレス方式の押出プレス装置において、上述したようなステムの上昇移動機構を採用した場合には、ステムを支持するステムスライド台が、ステム上下動支持体に形成されたスライド溝の内側を摺動しながら上下動することから、そのスライド溝に施されたライナとステムスライド台との間で、焼付きが生じるという問題があった。焼付きが生じたときには、押出プレス装置を停止させてライナを交換する必要があり、部品の交換の都度、設備が休転するといった問題があった。
【００２０】
また、ステムスライド台が重量のあるステムを片持ち支持していることから、ステムスライド台の表面全体がスライド溝のライナと均一に摺動することが無いため、ステムスライド台の上端部と下端部とに重点的に押圧力が生じ、この偏った押圧力により、ステムスライド台が部分的に磨耗しやすくなる。そのため、ステムスライド台が下降限にあるときに、ステムの軸は、コンテナのビレット収容部の軸Ｘと一致しなくなる。
【００２１】
この様な状態になったとき、ステムの軸の軸を、コンテナのビレット収容部の軸Ｘと一致させることは、至難なことであるため、ステムスライド台自体を交換することになり、この交換には、コストも嵩むと共に、交換のために押出プレス設備を停止する必要があり、設備が休転するといった問題や、コンテナとステムの芯出し作業（Ｘ軸の一致作業）が煩雑で、時間を要するといった問題があった。
【００２２】
そこで、本発明は、コンテナに装填したビレットを押圧するステムが水平に取り付けられたステムスライド台とステム上下動支持体に設けられたスライド溝との摺動ガタを無くすと共に、ステムスライド台とステム上下動支持体との焼付きを防止し、部品の交換頻度を低減し、芯出し作業を簡単化した、ビレット供給時にステムを上昇移動させることができるステムスライド装置を提供することを目的とする。
【課題を解決するための手段】
【００２３】
以上の課題を解決するために、本発明のステムスライド装置では、コンテナに装填したビレットを押圧するステムが水平に取り付けられたステムスライド台と、ステム上下動支持体に取り付けられ、前記ステムスライド台の側端部が嵌合し上下に摺動されるガイド溝を形成したスライドガイド部材と、前記スライドガイド部材に設けられ、前記ステムスライド台の側端部を押圧するロック手段と、を備え、前記ステムスライド台が前記ガイド溝の下端に位置するとき、前記ロック手段が駆動されて、前記ステムスライド台をロックし、前記ステムを前記コンテナの軸線の位置に保持することとした。
【００２４】
そして、前記ガイド溝は、前記スライドガイド部材の内面と、前記ステムスライド台を取り付けたステム上下動支持体の壁面とが対向して形成され、前記ステムスライド台の側端部が、該内面と該壁面との間を摺動し、前記ステムスライド台の側端部が、前記ロック手段によって前記ステム上下動支持体の壁面に押圧され、さらに、前記スライドガイド部材の内面と、前記ステム上下動支持体の壁面とに、ライナが施されることとした。
【００２５】
また、前記ステムスライド台の側端部は、前記ステム上下動支持体の壁面を摺動し該壁面を押圧する方向に弾性保持されたライナ部材を備えることとした。
【００２６】
前記ライナ部材は、前記ロック手段が駆動されたとき、前記ステム上下動支持体の壁面によって押され、前記ステムスライド台の背面が前記ステム上下動支持体の壁面に当接することとした。
【発明の効果】
【００２７】
以上のように、本発明のステムスライド装置によれば、コンテナに装填したビレットを押圧するステムが水平に取り付けられたステムスライド台の側端部を、該ステムスライド台がステムガイド部材のガイド溝の下端に位置するとき、ロック手段の駆動により、前記ステムスライド台の側端部を押圧するようにしたので、ステムを垂直に移動させた後、ステムをビレット押し出し状態に戻したとき、コンテナのビレット収容部へのステム芯の再現性を確保することができる。そのため、コンテナとステムの芯出し作業が簡単化される。
【００２８】
また、ステムが取り付けられたステムスライド台における側端部には、前記ステム上下動支持体の壁面を摺動し該壁面を押圧する方向に弾性保持されたライナ部材が設けられているので、この弾性保持されたライナ部材がステム上下動支持体に対する突っ張り機構となり、ステムスライド台の摺動におけるガタツキを抑制し、さらに、ステムスライド台とステム上下動支持体との間に間隙を形成することができ、焼付き防止になる。そのため、部品を交換する頻度を低減でき、設備を休転させる必要性が減少する。
【発明を実施するための最良の形態】
【００２９】
次に、図１乃至図３を参照しながら、本発明のステムスライド装置の実施形態について説明する。本発明のステムスライド装置は、前述したリアローディング型ショートストロークプレス方式による押出プレス装置に適用されることを基礎とし、そのステムスライド装置の基本構成は、図５及び図６に示されたステムスライド装置と同様である。
【００３０】
図１に、本発明のステムスライド装置の第１実施形態が示されている。図１に示された第１実施形態のステムスライド装置は、図５に示されたステムスライド装置のステム軸の位置における横断面で表されている。
【００３１】
図１に示されたステムスライド装置は、ステム上下動支持体７１、スライドガイド部材７２−１及び７２−２、ステムスライド台７３、そして、ステムクランプ部材７４−１及び７４−２で基本構成されている。スライドガイド部材７２−１及び７２−２が、ステム上下動支持体７１に固定され、スライドガイド部材７２−１及び７２−２と、ステム上下動支持体７１に施されたライナＬ１−１及びＬ１−２との間に、スライド溝が形成されている。このスライド溝内を、ステムスライド台７３の両側端部Ｅ１、Ｅ２が夫々上下に摺動できるようになっている。
【００３２】
ステム６のステム基部が、ステムスライド台７３にステムクランプ部材７４−１及び７４−２によりクランプされ、ステム６が水平に保たれて支持される。さらに、ステムスライド台７３は、図示されていないが、図５の場合と同様に、ステム上下駆動油圧シリンダ７９の作動により、上下動（図１の紙面に直交する方向）される。メカストップについても、図示されていないが、図５の場合と同様に、ステムスライド台７３の下降限のために設けられている。
【００３３】
そして、ステム上下動支持体７１には、鉛直方向に延びたガイドキー７５が配設されている。このガイドキー７５は、ステム６をコンテナのビレット収容部Ｃの軸Ｘに沿って上方に案内するものであり、このガイドキー７５を摺動するキー溝７６が、ステムスライド台７３のステム取り付けと反対側の面に設けられている。このキー溝７６がガイドキー７５に嵌合して、案内されることにより、ステム６が上下動しても、ステム６の軸がコンテナのビレット収容部Ｃの軸Ｘに対して横方向に振れることなく、軸Ｘの横方向位置を確保することができる。
【００３４】
なお、ステムスライド台７３の側端部Ｅ１、Ｅ２とスライドガイド部材７２−１及び７２−２との間に、ライナＬ２−１及びＬ２−２が施され、ステムスライド台７３に設けられたキー溝７６にも、ライナＬ３−１及びＬ３−２が施されている。
【００３５】
ここで、第１実施形態によるステムスライド装置では、ステムスライド台７３が下降限に到達し、メカストッパが作動したとき、ステムスライド台７３をステム上下動支持体７１側に押し付けることにより、磨耗によってステム６の中心軸がコンテナのビレット収容部Ｃの軸Ｘからのズレを修正できるようにした。これは、元々、ステムスライド台７３の背面は、ステム上下動支持体７１に施されたライナＬ１−１及びＬ１−２の面と平行であり、ステムスライド台７３が下降限に位置したとき、ステム６の中心軸がコンテナのビレット収容部Ｃの軸Ｘに一致するように設計されていることを利用したものである。
【００３６】
そこで、ステムスライド台７３の側端部Ｅ１及びＥ２に対向するスライドガイド部材７２−１及び７２−２に、油圧シリンダ７７−１及び７７−２をそれぞれ取り付けた。そして、この油圧シリンダ７７−１及び７７−２の駆動による押圧ロッド７８−１及び７８−２が設けられる。この押圧ロッド７８−１及び７８−２は、ステムスライド台７３が下降限に位置したことが検知されたとき、油圧シリンダ７７−１及び７７−２が作動されて、ステムスライド台７３の側端部Ｅ１及びＥ２を押圧する。
【００３７】
押圧ロッド７８−１及び７８−２がステムスライド台７３の側端部Ｅ１及びＥ２を押圧することによって、ステムスライド台７３の背面と、ステム上下動支持体７１のライナＬ１−１及びＬ１−２の面との間に生じていた隙間が無くなり、ステムスライド台７３の背面がライナＬ１−１及びＬ１−２の面に押し付けられ、結果として、ステム６の軸の縦振れを修正できる。これで、ステム６の中心軸とコンテナのビレット収容部Ｃの軸Ｘとを一致させることができ、ステム６の芯出しが簡単化される。
【００３８】
次に、図２に、本発明のステムスライド装置の第２実施形態を示した。図２に示された第２実施形態のステムスライド装置は、図１の場合と同様に、図５に示されたステムスライド装置のステム軸の位置における横断面で表されている。なお、図２に示されたステムスライド装置は、図５に示されたステムスライド装置と同じ基本構成を有しており、図５のステムスライド装置と同じ部分には同じ符号が付されている。
【００３９】
ここで、図２の第２実施形態のステムスライド装置が、図１の場合と異なることは、ステムスライド台７３の側端部Ｅ１及びＥ２の部位に、ステディガイド機構（突っ張り機構）が備えられたことである。図２では、ステディガイド機構について、その側端部Ｅ１及びＥ２に設けられていることが、一部切り欠きの中に示されている。そのステディガイド機構の詳細が、側端部Ｅ１側だけであるが、図３に示した。ステディガイド機構は、側端部Ｅ１とＥ２の両方とも、同じ構成になっている。図３では、ステディガイド機構が、縦断面で示されている。
【００４０】
図３に示されるように、側端部Ｅ１側のステディガイド機構は、ライナＬ４−１と、弾性保持部材、例えば、皿バネ座金Ｗ１乃至Ｗ３と、ボルトＢｏ１乃至Ｂｏ３とで基本構成されている。ステムスライド台７３には、このスタディガイド機構を収納でき、所定幅及び所定深さを持つ溝Ｖが設けられ、この溝Ｖの内部に、ライナＬ４−１が弾性保持されている。この弾性保持は、皿型バネ座金Ｗ１乃至Ｗ３とボルトＢｏ１乃至Ｂｏ３で実現している。
【００４１】
ボルトＢｏ１乃至Ｂｏ３は、平座金ｗ１乃至ｗ３をスリーブｓ１乃至ｓ３を介して締め付け固定する。平座金ｗ１乃至ｗ３には、スリーブｓ１乃至ｓ３を遊嵌する穴が設けられ、さらに、ライナＬ４−１にも、スリーブｓ１乃至ｓ３を遊嵌する穴が設けられているので、図３に示されるように、ライナＬ４−１は、皿バネ座金Ｗ１乃至Ｗ３の弾性によって、ステムスライド台７３の外方に押されるが、平座金ｗ１乃至ｗ３によって、外方への押し出しが制限される。
【００４２】
このライナＬ４−１は、図３に示されるように、ステムスライド台７３の背面から突き出て、ステム上下動支持体７１のライナＬ１−１を押圧し、ステムスライド台７３がスライドガイド部材７２−１を摺動するときに、ガタツキを無くす。そして、ステムスライド台７３の背面と、ステム上下動支持体７１のライナＬ１−１との間に、焼き付き防止のための隙間が形成され、この間隙は任意に調節される。また、ライナＬ４−１は、ボルトでステムスライド台７３に固定されているので、磨耗したライナの交換も簡単に行える。
【００４３】
なお、これまで、ステムスライド台７３の側端部Ｅ１側を中心にして、ステディスガイド機構を説明したが、ステムスライド台７３の側端部Ｅ２側にも、同様のステディガイド機構が設けられる。特に、ステムスライド台７３の側端部Ｅ１とＥ２の双方にステディガイド機構を設けることが、ステム６の横振れの発生を抑制する上で重要である。
【００４４】
また、図１に示された第１実施形態のステムスライド装置に、図２及び図３に示された第２実施形態におけるステディガイド機構を組み込むことができる。この場合には、ステムスライド台７３が下降限に位置したことが検知されたとき、油圧シリンダ７７−１及び７７−２の駆動により、押圧ロッド７８−１及び７８−２が、ステムスライド台７３をステム上下動支持体７１のライナＬ１−１及びＬ１−２に押し付けることになるが、ステディガイド機構のライナＬ４−１及びＬ４−２は、弾性保持されているので、ライナＬ１−１及びＬ１−２から反力を受け、ステムスライド台７３の溝Ｖ内に押し戻さる。このとき、ステディガイド機構は、ステム６に関する軸Ｘへの芯出しに影響しない。
【図面の簡単な説明】
【００４５】
【図１】本発明による押出プレス装置におけるステムスライド装置の第１実施形態を説明する図である。
【図２】本発明による押出プレス装置におけるステムスライド装置の第２実施形態を説明する図である。
【図３】第２実施形態のステムスライド装置におけるスライド部の要部を説明する拡大断面図である。
【図４】リアローディング型押出プレス装置の構成を説明する図である。
【図５】リアローディング型押出プレス装置におけるステムスライド構成を説明する図である。
【図６】図４に示されたリアローディング型押出プレス装置におけるビレット供給及び挿入の手順を説明する図である。
【図７】図６（ａ）に示されたビレット供給時におけるステム上昇位置を説明する図である。
【符号の説明】
【００４６】
１    エンドプラテン
２    シリンダ取付ブロック
３    タイロッド
４    ダイス
５    コンテナ
６    ステム
７    ステム支持台
７１    ステム上下動支持体
７２、７２−１、７２−２    スライドガイド部材
７３    ステムスライド台
７４、７４−１、７４−２    ステムクランプ部材
７５    ガイドキー
７６    キー溝
７７−１、７７−２    油圧シリンダ
７８−１、７８−２    押圧ロッド
７９    ステム上下駆動油圧シリンダ
８    主油圧シリンダ
Ｂ    ビレット
ＢＬ    ビレットローダ
Ｂｏ１〜Ｂｏ３    ボルト
Ｅ１、Ｅ２    側端部
ＨＣ    主油圧シリンダ
Ｌ１−１〜Ｌ４−２    ライナ
ｓ１〜ｓ３    スリーブ
Ｗ１〜Ｗ３    皿バネ座金
ｗ１〜ｗ３    平座金
【図１】
0004604997.tif 000002
【図２】
0004604997.tif 000003
【図３】
0004604997.tif 000004
【図４】
0004604997.tif 000005
【図５】
0004604997.tif 000006
【図６】
0004604997.tif 000007
【図７】
0004604997.tif 000008